(57)【要約】      （修正有）【課題】電波を照射して食品の鮮度を維持できる冷蔵庫を提供する。【解決手段】野菜室の野菜容器４６に設けられた第１電極１０４と、第１電極１０４に交流電流を流す電波発生部１０２とを有し、野菜容器４６に収納された野菜や果物などの食品５は、左右一対の第１電極１０４と第２電極１０６の間に収納された状態となっている。そして、この場合に第１電極１０４が、食品５の左側部と左底部、第２電極１０６が右側部と右底部を囲むようにして配置されているため、照射された電波が食品５に含まれる水分を微振動させると共に、蒸散作用が抑制され、これにより食品５の鮮度を維持できる。【選択図】図５
2020008219.tif 000002
【特許請求の範囲】
【請求項１】
キャビネットと、
前記キャビネット内に設けられた貯蔵室と、
前記貯蔵室に設けられた電極と、
前記電極に交流電流を流す電波発生部と、
前記電波発生部から交流電流を前記電極に流して、前記貯蔵室内の食品に電波を照射する制御部と、
を有する冷蔵庫。
【請求項２】
前記貯蔵室には、一対の前記電極が設けられ、
前記制御部は、前記電波発生部から交流電流を一方の前記電極のみに流して、一対の前記電極の間にある食品に電波を照射する、
請求項１に記載の冷蔵庫。
【請求項３】
前記貯蔵室内には、引き出し容器が引き出し自在に設けられ、
前記電極は、前記引き出し容器に設けられている、
請求項１に記載の冷蔵庫。
【請求項４】
前記貯蔵室内には、引き出し容器が引き出し自在に設けられ、
前記電極は、前記引き出し容器の外側に設けられ、
前記引き出し容器は、電波を透過する、
請求項１に記載の冷蔵庫。
【請求項５】
前記キャビネットは、外箱と、内箱と、前記外箱と前記内箱の間の空間に充填された断熱材とを有し、
前記電極は前記内箱に設けられている、
請求項３に記載の冷蔵庫。
【請求項６】
前記断熱材は、発泡ウレタンであり、
前記電極は、前記発泡ウレタン内に埋設されている、
請求項５に記載の冷蔵庫。
【請求項７】
前記引き出し容器を前記貯蔵室から引き出すためのレールが設けられ、
前記電極は、前記レールより前記引き出し容器側に設けられている、
請求項３に記載の冷蔵庫。
【請求項８】
前記引き出し容器を前記貯蔵室から引き出すためのレールが設けられ、
前記電極は、前記電波の照射方向に前記レールがない位置に設けられている、
請求項３に記載の冷蔵庫。
【請求項９】
前記電極は、前記貯蔵室へ冷気を吹き出す吹き出し口以外の位置に設けられている、
請求項１に記載の冷蔵庫。
【請求項１０】
前記引き出し容器には、前記電波が通過できる孔、又は切欠きが設けられている、
請求項３に記載の冷蔵庫。
【請求項１１】
前記引き出し容器の底面には、金属板が設けられている、
請求項３に記載の冷蔵庫。
【請求項１２】
前記貯蔵室は、チルド室であり、
前記チルド室内には、上容器と下容器がそれぞれ引き出し自在に配され、
一方の前記電極は前記チルド室の側面に設けられ、
他方の電極は前記上容器の底部、又は前記下容器の底部のどちらか一方に設けられている、
請求項２に記載の冷蔵庫。
【請求項１３】
前記貯蔵室は、チルド室であり、
前記チルド室内には、上容器と下容器がそれぞれ引き出し自在に配され、
少なくとも一方の前記電極は、前記チルド室の側面に設けられると共に、前記上容器の側部と前記下容器の側部に跨がって設けられている、
請求項２に記載の冷蔵庫。
【請求項１４】
前記チルド室の側方には、製氷装置に水を供給するためのタンクが配され、
前記上容器の側面と前記下容器の側面と、前記タンクの間には縦方向の縦仕切り板が設けられ、
前記縦仕切り板に前記電極が設けられている、
請求項１２又は１３に記載の冷蔵庫。
【発明の詳細な説明】
【技術分野】
【０００１】
本発明の実施形態は、冷蔵庫に関するものである。
【背景技術】
【０００２】
従来、食品に電波を照射することで食品の鮮度を維持できる装置が提案されている。
【先行技術文献】
【特許文献】
【０００３】
【特許文献１】特開２０１６−１１２２０５号公報
【発明の概要】
【発明が解決しようとする課題】
【０００４】
しかし、電波を照射して食品の鮮度を維持する上記装置は、重量、容量及びコストが上昇するなどの観点から、冷蔵庫内に収納した食品に用いることは難しいという問題点があった。
【０００５】
そこで本発明は上記問題点に鑑み、電波を照射して食品の鮮度を維持できる冷蔵庫を提供することを目的とする。
【課題を解決するための手段】
【０００６】
本発明の実施形態は、キャビネットと、前記キャビネット内に設けられた貯蔵室と、前記貯蔵室に設けられた電極と、前記電極に交流電流を流す電波発生部と、前記電波発生部から交流電流を前記電極に流して、前記貯蔵室内の食品に電波を照射する制御部と、を有する冷蔵庫である。
【図面の簡単な説明】
【０００７】
【図１】実施形態１の冷蔵庫の正面図。
【図２】冷蔵庫の縦断面図。
【図３】冷蔵庫の扉を開けた状態の斜視図。
【図４】チルド室とタンクの正面から見た図。
【図５】野菜容器の斜視図。
【図６】野菜室の拡大縦断面図。
【図７】冷蔵庫のブロック図。
【図８】実施形態２の冷蔵庫の野菜室の正面から見た縦断面図。
【図９】実施形態３の冷蔵庫のチルド室において右側から見た縦断面図。
【図１０】同じく正面から見た縦断面図。
【図１１】実施形態４の冷蔵庫のチルド室の正面から見た縦断面図。
【図１２】実施形態５の冷蔵庫のチルド室の正面から見た縦断面図。
【図１３】実施形態６の冷蔵庫のチルド室の正面から見た縦断面図。
【図１４】実施形態７の冷蔵庫の正面から見たチルド室の縦断面図。
【図１５】実施形態８の冷蔵庫のチルド室の正面から見た縦断面図。
【図１６】実施形態９の冷蔵庫のチルド室の正面から見た縦断面図。
【発明を実施するための形態】
【０００８】
以下、本発明の一実施形態の鮮度維持装置１００を有した冷蔵庫１について図面を参照して説明する。
【実施形態１】
【０００９】
実施形態１の鮮度維持装置１００を有した冷蔵庫１について図１〜図７を参照して説明する。
【００１０】
（１）冷蔵庫１の構造
冷蔵庫１の構造について図１〜図３に基づいて説明する。冷蔵庫１のキャビネット１２は断熱箱体であって、内箱２と外箱３とより形成され、その間に発泡ウレタンよりなる断熱材４が充填されている。図１と図２に示すように、このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には水平な断熱仕切体３６が設けられている。冷蔵室１４と野菜室１６とは水平な仕切体３８によって仕切られている。
【００１１】
図２と図３に示すように、冷蔵室１４内には、複数のガラス製の棚４０が水平に設けられ、下部にはチルド室４２が設けられている。チルド室４２の内部には、上容器７０と下容器７２が引き出し自在に配されている。
【００１２】
図２と図３に示すように、冷蔵室１４の前面開口部には、観音開き式の左右扉１４ａ，１４ｂが設けられている。左扉１４ａと右扉１４ｂの後面には、複数段のドアポケット４４が設けられている。左扉１４ａの前面には、操作部５６が設けられている。この操作部５６には、操作スイッチ５８が設けられている。
【００１３】
左扉１４ａの下部には静電式のドアスイッチ６２が設けられ、このドアスイッチ６２が操作されると、キャビネット１２の天井部前端部の中央部にあるソレノイド式のドア押圧部６４が左扉１４ａを後方から押して左扉１４ａが開扉状態となる。右扉１４ｂの下部にも静電式のドアスイッチ６２が設けられ、このドアスイッチ６２が操作されると、ドア押圧部６４が右扉１４ｂの後面を押圧して右扉１４ｂが開扉状態となる。
【００１４】
製氷室２１内には、製氷皿で製氷を行う製氷装置６６が設けられ、冷蔵室１４内部であって、チルド室４２の横に配されたタンク６８から製氷用の水が供給される。
【００１５】
野菜室１６には引出し式の野菜室扉１６ａが設けられ、小型冷凍室１８、冷凍室２０及び製氷室２１には、それぞれ引出し式の扉１８ａ、２０ａ、２１ａが設けられている。野菜室１６には、引出し式の野菜容器４６が設けられている。
【００１６】
冷蔵室１４の後面下部から野菜室１６の後面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー４８で囲まれた冷却室であるＲエバ室２７に配されている。
【００１７】
Ｒエバ室２７から上方に冷気通路５０が冷蔵室１４の背面に沿って延び、この冷気通路５０には複数の吹き出し口５２が設けられ、この吹き出し口５２から冷蔵室１４に冷気が吹き出される。また、チルド室４２の背面にも吹き出し口５４が設けられ、冷気がチルド室４２内部に吹き出される。さらに、冷蔵室１４の背面には、冷蔵室１４の庫内温度を検出するＲセンサ２９が設けられている。
【００１８】
小型冷凍室１８、製氷室２１の後面から冷凍室２０の後面にかけてのＦエバ室３１には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。冷凍室２０の背面には、冷凍室２０の庫内温度を検出するＦセンサ３５が設けられている。
【００１９】
キャビネット１２の後面底部には、機械室２２が設けられ、冷凍サイクルを構成する圧縮機２４などが載置されている。この機械室２２の後面上部には、制御基板２６が設けられている。
【００２０】
（２）野菜室１６
野菜室１６について、図面を参照して説明する。野菜室１６は、前面が開口し、その両内側面には、左右一対の固定レール８０，８０が水平に設けられている。
【００２１】
野菜室１６の前面開口部を覆う野菜室扉１６ａの後面からは左右一対の移動レール８２が水平に突出し、左右一対の固定レール８０と係合し、移動レール８２が固定レール８０に対しスライド自在となっている。左右一対の移動レール８２には、野菜容器４６が配されている。
【００２２】
野菜容器４６は、上面が開口し、前面４６１、左右両側面４６２，４６３、後面４６４及び底面４６５から形成され、電波を透過することができる合成樹脂製であって一体に形成されている。前面４６１、左右両側面４６２，４６３には、フランジ部４６６が形成されている。左右一対の移動レール８２は、左右のフランジ部４６４の下方に位置し、野菜容器４６を支持している。
【００２３】
野菜室１６には、鮮度維持装置１００が設けられている。この鮮度維持装置１００は、電波発生部１０２、第１電極１０４、第２電極１０６とより構成されている。
【００２４】
野菜容器４６の左側面４６２から底面４６５の左部分には、アルミ箔などの薄い金属板よりなる第１電極１０４が、折り曲げられて貼り付けられている。第１電極１０４の上端部は、左側の移動レール８２よりも下方に貼り付けられ、固定レール８０と移動レール８２とは重ならない。
【００２５】
野菜容器４６の右側面４６３から底面４６５の右部分には、アルミ箔などの薄い金属板よりなる第２電極１０６が、折り曲げられて貼り付けられている。第２電極１０６の上端部は、右側の移動レール８２よりも下方に貼り付けられ、固定レール８０と移動レール８２とは重ならない。底面４６５において、第１電極１０４と第２電極１０６とは一定の距離を持ち、互いに電気的に絶縁状態である。
【００２６】
野菜容器４６の後面４６４には、電波発生部１０２が設けられ、第１電極１０４と電気的に接続されている。電波発生部１０２は、制御部６０からの制御により交流電流（高周波電流）を第１電極１０４に出力し、第１電極１０４は、電波（例えば１５０ｋＨｚ以下の長波）を照射する。そして、この照射された電波を第２電極１０６で受信する。なお、図面において示した矢印は、第１電極１０４から第２電極１０６に向かって照射される電波の方向を示している。
【００２７】
野菜容器４６に収納された野菜や果物などの食品５は、左右一対の第１電極１０４と第２電極１０６の間に収納された状態となっている。そして、この場合に第１電極１０４が、食品５の左側部と左底部、第２電極１０６が右側部と右底部を囲むようにして配置されているため、照射された電波が食品５に含まれる水分を微振動させると共に、蒸散作用が抑制され、これにより食品５の鮮度を維持できる。なお、第１電極１０４と第２電極１０６は移動レール８２よりも野菜容器４６側に設けられているため、移動レール８２の移動に障害とならない。
【００２８】
鮮度維持装置１００を動作させるためには、ユーザが左扉１４ａの前面にある操作部５６の操作スイッチ５８を操作することにより、制御部６０によって開始される。動作の終了は所定時間経過後に自動的に終了するか、ユーザが再び操作スイッチ５８を操作して手動で終了させる。また、野菜容器４６が野菜室１６から引き出されたときは、電波発生部１０２の電波の発生の照射は中止され、再び野菜容器４６が野菜室１６内部に収納されたときに電波の照射は再開される。
【００２９】
（３）冷蔵庫１の電気的構成
次に、冷蔵庫１の電気的構成について図７のブロック図を参照して説明する。
【００３０】
制御基板２６に設けられているマイクロコンピュータよりなる制御部６０には、Ｒセンサ２９、Ｒファン３０、Ｆセンサ３５、Ｆファン３４、圧縮機２４、製氷装置６６、ドアスイッチ６２、ドア押圧部６４、操作部５６、鮮度維持装置１００が接続されている。
【００３１】
（４）効果
本実施形態によれば、野菜室１６の野菜容器４６に食品５を収納し、鮮度維持装置１００を動作させると、第１電極１０４と第２電極１０６に挟まれた食品５の鮮度を維持できる。
【００３２】
また、第１電極１０４から電波が照射され、第２電極１０６で受信されるときに、左右一対の移動レール８２と左右一対の固定レール８０とは外れた位置に第１電極１０４と第２電極１０６が設けられているため、固定レール８０と移動レール８２が金属製であっても電波の照射の障害とはならない。
【００３３】
また、第１電極１０４は、左側面４６２と底面４６５の左部分に配され、第２電極１０６は野菜容器４６の右側面４６３と底面４６５の右部分に配されているため、食品５を下側から覆う配置となり、鮮度をより維持し易くなる。
【００３４】
また、第１電極１０４と第２電極１０６とは、アルミ箔などよりなる薄い金属板で形成されているため、野菜容器４６の重量が重くならず、また、野菜容器４６の壁面外側に貼り付けても他の部材に接触しない。
【００３５】
また、第１電極１０４と第２電極１０６は移動レール８２よりも野菜容器４６側に設けられているため、移動レール８２の移動に障害とならない。
【００３６】
（５）変更例
本実施形態では、第１電極１０４と第２電極１０６とは、薄い金属板で形成したが、これに代えてフィルム電極を用いてもよい。
【００３７】
また、本実施形態では、第１電極１０４と第２電極１０６には、薄い金属板を使用しているが、この金属板に円形、又は四角のパンチ孔を複数開口させていてもよい。これにより、第１電極１０４と第２電極１０６の重量がさらに少なくなる。
【００３８】
また、本実施形態では、第１電極１０４と第２電極１０６を設けたが、第２電極１０６を設けないで第１電極１０４が電波を照射のみする構成であってもよい。
【実施形態２】
【００３９】
次に、実施形態２の冷蔵庫１の鮮度維持装置１００について図８を参照して説明する。
【００４０】
実施形態１では、野菜容器４６に電波発生部１０２、第１電極１０４、第２電極１０６を設けたが、本実施形態では図８に示すように、野菜室１６に設ける。
【００４１】
第１電極１０４が、野菜室１６の左側壁を構成する内箱２と外箱３の間の断熱材４の内部に縦方向に埋設されている。
【００４２】
第２電極１０６が、野菜室１６の右側壁を構成する内箱２と外箱３の間の断熱材４の内部に縦方向に埋設されている。
【００４３】
電波発生部１０２が、この第１電極１０４とは外れた位置における内箱２の庫内側に設けられている。
【００４４】
また、本実施形態では、野菜容器４６の左右両側面４６２，４６３には、冷気が野菜容器４６に侵入するように冷気侵入口１０８がそれぞれ設けられている。この冷気侵入口１０８は、左右一対の第１電極１０４と第２電極１０６に対応した位置に設けられ、第１電極１０４から第２電極１０６に照射される電波が通過し易いようにする役割も果たしている。
【００４５】
本実施形態であっても、野菜容器４６に収納された食品５の左側にある第１電極１０４から右側にある第２電極１０６に向かって電波が照射されているため、その間にある食品５の鮮度を確実に維持できる。
【００４６】
また、第１電極１０４と第２電極１０６に対応した位置には左右一対の冷気侵入口１０８が設けられているため、この冷気侵入口１０８が電波を通過させて減衰させない。
【００４７】
また、冷気侵入口１０８に代えて野菜容器４６に冷気が通るための切欠きが設けられている場合には、その切欠きの位置を避けて第１電極１０４と第２電極１０６を設ける。
【００４８】
なお、本実施形態では、第１電極１０４と第２電極１０６を設けたが、第２電極１０６を設けないで第１電極１０４が電波を照射のみする構成であってもよい。
【実施形態３】
【００４９】
次に、実施形態３の冷蔵庫１について図４、図９、図１０を参照して説明する。実施形態１では、野菜室１６に鮮度維持装置１００を設けたが、本実施形態ではチルド室４２に設けた場合である。
【００５０】
図４において、チルド室４２についてさらに詳しく説明する。チルド室４２は、冷蔵室１４の下部に設けられ、チルド室４２の天板７４は、冷蔵室１４の最下段の棚板の役割も果たしている。
【００５１】
チルド室４２の右側壁はキャビネット１２の右側壁とを兼ねており、左側壁は、タンク６８との間を区切る縦仕切り板７６によって構成されている。チルド室４２の底部は、仕切体３８によって構成されている。そして、このチルド室４２内部には、上下２段に配された上容器７０と下容器７２とがそれぞれ独立して引き出し可能に配されている。
【００５２】
上容器７０は、皿形であって上面が開口し、前面７０１、左右両側面７０２，７０３、後面７０４、底面７０５から構成され、合成樹脂製であって一体成形されている。
【００５３】
下容器７２は、皿形であって上面が開口し、前面７２１、左右両側面７２２，７２３、後面７２４、底面７２５から構成され、合成樹脂によって一体成形されている。
【００５４】
チルド室４２の背面には、冷気吹き出し口５４が開口し、Ｒエバ２８で冷却された冷気がチルド室４２内部にこの冷気吹き出し口５４から吹き出される。
【００５５】
図８と図９に示すように、第１電極１０４は、下容器７２の底面７０５の外面に貼り付けられ、電波発生部１０２が後面７２４に設けられている。
【００５６】
第２電極１０６は、上容器７０の底面７０５の外面に貼り付けられている。
【００５７】
これにより、下容器７２に収納された食品５が、第１電極１０４から照射された電波と、上方に位置する第２電極１０６の間に配される状態となって、その食品５の鮮度の維持を行うことができる。
【００５８】
そして、第１電極１０４と第２電極１０６は、冷気吹き出し口５４とは異なる位置に設けられると共に、冷気の流れを妨げないような位置に設けられているので、チルド室４２の冷却を十分に行うことができる。
【００５９】
なお、本実施形態では、第１電極１０４と第２電極１０６を設けたが、第２電極１０６を設けないで第１電極１０４が電波を照射のみする構成であってもよい。
【実施形態４】
【００６０】
次に、実施形態４の冷蔵庫１の鮮度維持装置１００について図１１を参照して説明する。本実施形態も、チルド室４２に鮮度維持装置１００を設けたものであり、本実施形態では上容器７０と下容器７２にそれぞれ鮮度維持装置１００が設けられている。
【００６１】
上容器７０の左側面７０２の外面から底面７０５の左部分の外面に第１電極１０４が貼り付けられている。上容器７０の右側面７０３の外面から底面７０５の右部分の外面に第２電極１０６が貼り付けられている。上容器７０の後面７０４に電波発生部１０２が設けられ、電気的に接続されている。そして、これら第１電極１０４と第２電極１０６と電波発生部１０２によって上容器７０の鮮度維持装置１００を構成している。
【００６２】
下容器７２にも、同様に第１電極１０４と第２電極１０６と電波発生部１０２が設けられ、上容器７０とは独立した下容器７２の鮮度維持装置１００が設けられている。
【００６３】
本実施形態であると、上容器７０と下容器７２にそれぞれ収納された食品５に関して、それぞれの鮮度維持装置１００によって鮮度を維持させることができる。
【００６４】
なお、本実施形態では、第１電極１０４と第２電極１０６をそれぞれ設けたが、第２電極１０６を設けないで第１電極１０４が電波を照射のみする構成であってもよい。
【実施形態５】
【００６５】
次に、実施形態５の冷蔵庫１の鮮度維持装置１００について図１２を参照して説明する。本実施形態も、チルド室４２に鮮度維持装置１００を設けたものであり、実施形態４では、上容器７０と下容器７２にそれぞれの鮮度維持装置１００を設けたが、本実施形態ではこれに代えて下容器７２にのみ鮮度維持装置１００を設けている。そして、上容器７０には、アルミニウム製のトレイ７８が載置されている。
【００６６】
本実施形態では、下容器７２の第１電極１０４から電波が照射され、第２電極１０６に受信される。この場合に、上容器７０にアルミニウム製のトレイ７８が載置されているため、第１電極１０４から上に照射された電波はトレイ７８によって反射され、下容器７２に収納されている食品５の上から照射されることとなる。これによりこの食品５の鮮度を維持できる。
【００６７】
なお、本実施形態では、第１電極１０４と第２電極１０６を設けたが、第２電極１０６を設けないで第１電極１０４が電波を照射のみする構成であってもよい。
【実施形態６】
【００６８】
次に、実施形態６の冷蔵庫１の鮮度維持装置１００について図１３を参照して説明する。本実施形態も、チルド室４２に鮮度維持装置１００を設けたものであり、本実施形態ではチルド室４２の左側面を構成する縦仕切り板７６のチルド室４２側に第１電極１０４が貼り付けられ、チルド室４２の右側面を構成する内箱２のチルド室４２側に第２電極１０６が貼り付けられている。そして、電波発生部１０２は、第１電極１０４が設けられていない縦仕切り板７６に設けられている。
【００６９】
また、図１３に示すように第１電極１０４と第２電極１０６は、上容器７０と下容器７２の側部に跨がって設けられている。
【００７０】
本実施形態では、第１電極１０４から照射された電波は、上容器７０と下容器７２にそれぞれ収納された食品５の左側部に照射され、上容器７０に収納されている食品５の鮮度を維持できる。
【００７１】
また、図１３に示すように第１電極１０４と第２電極１０６は、上容器７０と下容器７２の側部に跨がって設けられているため、上容器７０と下容器７２に収納されている食品５の鮮度をまとめて維持できる。
【００７２】
なお、本実施形態において第２電極１０６は内箱２のチルド室４２側に設けたが、これに代えて内箱２と外箱３の間の断熱材４に第２電極１０６を埋設させてもよい。
【００７３】
また、本実施形態では、第１電極１０４と第２電極１０６を設けたが、第２電極１０６を設けないで第１電極１０４が電波を照射のみする構成であってもよい。
【実施形態７】
【００７４】
次に、実施形態７の冷蔵庫１の鮮度維持装置１００について図１４を参照して説明する。本実施形態も、チルド室４２に鮮度維持装置１００を設けたものであり、実施形態６の変更例である。
【００７５】
第１電極１０４が、縦仕切り板７６に設けられていると共に、その上端部が天板７４に延び、その下端がチルド室４２の底部を構成する仕切体３８の左部分に伸びている。
【００７６】
第２電極１０６が、内箱２に設けられていると共に、その上端部が天板７４に延び、その下端が仕切体３８の右部分に延びている。なお、第１電極１０４と第２電極１０６とは絶縁された状態である。
【００７７】
本実施形態では、上容器７０と下容器７２を第１電極１０４と第２電極１０６によって囲む形となり、上容器７０と下容器７２に収納されている食品５に電波を確実に照射でき、その食品５の鮮度を維持できる。
【００７８】
なお、本実施形態では、第１電極１０４と第２電極１０６を設けたが、第２電極１０６を設けないで第１電極１０４が電波を照射のみする構成であってもよい。
【実施形態８】
【００７９】
次に、実施形態８の冷蔵庫１の鮮度維持装置１００について図１５を参照して説明する。本実施形態も、チルド室４２に鮮度維持装置１００を設けたものであり、第１電極１０４が天板７４の下面に貼り付けられ、第２電極１０６がチルド室４２の底部にあたる仕切体３８の上面に貼り付けられている。電波発生部１０２は、縦仕切り板７６に設けられている。
【００８０】
本実施形態では、第１電極１０４から下に向かって電波が照射され、上容器７０と下容器７２に収納されている食品５に電波が当たり、その食品５の鮮度の維持ができる。
【００８１】
なお、本実施形態では、第１電極１０４と第２電極１０６を設けたが、第２電極１０６を設けないで第１電極１０４が電波を照射のみする構成であってもよい。
【実施形態９】
【００８２】
次に、実施形態９の冷蔵庫１の鮮度維持装置１００について図１６を参照して説明する。本実施形態も、チルド室４２に鮮度維持装置１００を設けたものであり、実施形態８の変更例である。
【００８３】
天板７４に設けられた第１電極１０４が、縦仕切り板７６の上部と内箱２の上部まで延びている。
【００８４】
仕切体３８に設けられた第２電極１０６が、縦仕切り板７６の下部と内箱２の下部まで延びている。なお、第１電極１０４と第２電極１０６とは絶縁状態となっている。
【００８５】
本実施形態では、上容器７０と下容器７２に収納されている食品５を第１電極１０４と第２電極１０６によって上下から囲む形となり、食品５により電波が当たりやすくなり、その食品５の鮮度を維持できる。
【００８６】
なお、本実施形態では、第１電極１０４と第２電極１０６を設けたが、第２電極１０６を設けないで第１電極１０４が電波を照射のみする構成であってもよい。
【変更例】
【００８７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８８】
１・・・冷蔵庫、２・・・内箱、３・・・外箱、４・・・断熱材、１２・・・キャビネット、１４・・・冷蔵室、１６・・・野菜室、４２・・・チルド室、４６・・・野菜容器、７０・・・上容器、７２・・・下容器、８０・・・固定レール、８２・・・移動レール、１００・・・鮮度維持装置、１０２・・・電波発生部、１０４・・・第１電極、１０６・・・第２電極
【図１】
2020008219.tif 000003
【図２】
2020008219.tif 000004
【図３】
2020008219.tif 000005
【図４】
2020008219.tif 000006
【図５】
2020008219.tif 000007
【図６】
2020008219.tif 000008
【図７】
2020008219.tif 000009
【図８】
2020008219.tif 000010
【図９】
2020008219.tif 000011
【図１０】
2020008219.tif 000012
【図１１】
2020008219.tif 000013
【図１２】
2020008219.tif 000014
【図１３】
2020008219.tif 000015
【図１４】
2020008219.tif 000016
【図１５】
2020008219.tif 000017
【図１６】
2020008219.tif 000018